(57)【特許請求の範囲】
【請求項１】
ＡＤ変換回路を有する送信部、及びＤＡ変換回路を有する受信部のそれぞれが１系と２系に二重化され、１系から２系、２系から１系への系間のオーダワイヤ回線を構成するオーダワイヤ伝送装置において、
前記１系受信部における受信信号と２系受信部における受信信号とを選択する受信切替スイッチと、
音声入力信号と、前記２系受信部からの受信信号とを混合して、前記１系送信部へ入力する１系入力用ミキサと、
音声入力信号と、前記受信切替スイッチで選択された受信信号とを混合して、前記２系送信部へ入力する２系入力用ミキサと、
前記２系受信部における受信信号と、前記受信切替スイッチで選択された受信信号とを混合して、音声出力信号とする出力用ミキサとを備え、
前記２系受信部におけるＤＡ変換回路は、外部からの中継制御信号に従い無音制御できることを特徴とするオーダワイヤ伝送装置。
【請求項２】
１系送信部のＡＤ変換回路からの送信信号と２系送信部のＡＤ変換回路からの送信信号とを切り替える中継切替スイッチを備え、
当該オーダワイヤ伝送装置を中継局として設定する場合は、前記受信切替スイッチが、１系受信部の１系受信信号を選択することで、出力用ミキサでは、１系受信信号と２系受信信号とを混合した音声出力信号を出力するとともに、１系入力用ミキサで、２系受信部の受信信号と外部からの音声入力信号とを混合することにより、２系から１系へのオーダワイヤ回線を構成し、また、中継切替スイッチで、２系送信信号を選択することにより、１系から２系へのオーダワイヤ回線を構成し、
一方、当該オーダワイヤ伝送装置を端局として設定する場合は、２系受信部のＤＡ変換回路が受信信号を無音制御するとともに、中継切替スイッチが１系送信部の送信信号を選択することを特徴とする請求項１に記載のオーダワイヤ伝送装置。
【請求項３】
１系送信部と２系送信部の一方の系からの信号を送信する送信切替制御回路と、受信信号を１系受信部と２系受信部へ分岐するハイブリッドとを備えたことを特徴とする請求項１又は２に記載のオーダワイヤ伝送装置。
【請求項４】
１系送信部からの送信信号と２系送信部からの送信信号とを切り替えて出力する送信切替スイッチと、これを制御する送信切替制御回路とを備えたことを特徴とする請求項１又は２に記載のオーダワイヤ伝送装置。
【請求項５】
１系入力用ミキサ及び２系入力用ミキサの前段に、１系・２系共通の入力用ミキサを備えたことを特徴とする請求項１ないし４のいずれかに記載のオーダワイヤ伝送装置。
【請求項６】
１系入力用ミキサ及び２系入力用ミキサ並びに出力用ミキサが、アナログ段で信号を混合するアナログミキサであることを特徴とする請求項１ないし５のいずれかに記載のオーダワイヤ伝送装置。
【請求項７】
１系入力用ミキサ及び２系入力用ミキサ並びに出力用ミキサが、デジタル段で信号を混合するデジタルミキサであることを特徴とする請求項１ないし５のいずれかに記載のオーダワイヤ伝送装置。
【発明の詳細な説明】
【技術分野】
【０００１】
本発明は、送信部及び受信部のそれぞれが１系と２系に二重化され、１系から２系、２系から１系への系間のオーダワイヤ回線を構成するオーダワイヤ伝送装置に関し、装置自体の構成を変更することなく、単一の装置で、端局と中継局の双方の構成を可能としたものである。
【背景技術】
【０００２】
従来から、オーダワイヤ回線は、信号伝送装置の設置工事・保守時に局間で音声による連絡をとるために使用される。大規模な幹線系ネットワークでは、ネットワークの分岐が複雑であるので回線の有効利用のため、特許文献１（特開平２−３０６７２９号公報）のようにダイアルによる個別に局呼び出しを可能とする機能や、特許文献２（特開平１−２４３６５７号公報）のように回線交換の機能を信号伝送装置内に組み込むか、専用装置を設置する必要がある。
【０００３】
一方、中・小規模のネットワークでは、ネットワークの分岐が単純もしくは存在しないため、構成が簡易なパーティラインで構成することが多い。また、中継局においては、端局とは構成が異なる専用装置を用いず、端局装置２台をケーブル接続することで簡易に構成することが多いが、ケーブル接続の工事が煩雑となる問題があった。また、２台セットで設置する必要があるため、端局に比べ、設置面積・設備費が大きいという問題があった。
【０００４】
図８は従来の構成を示すブロック図である。オーダワイヤ回線の外部入出力を用いて、端局Ａと端局Ｂの間をケーブルＡＢ−１、ＢＡ−１で接続することで中継局を構成する。端局Ａは、１系送信部Ａ１−Ｔ、２系送信部Ａ２−Ｔ、１つのアナログミキサＡ１−１、１系受信部Ａ１−Ｒ、２系受信部Ａ２−Ｒ、及び受信切替制御回路Ａ７とで構成され、１系及び２系の送信部は伝送路Ａ２０、Ａ２１へそれぞれ出力でき、また、１系及び２系の受信部は伝送路Ａ２２、Ａ２３からそれぞれ入力できる。端局Ｂも同様である。端局Ａと端局Ｂの構成は同じであるため、端局Ｂについての説明は省略する。
【０００５】
端局Ａにおいて、アナログミキサＡ１−１は、外部からの音声入力信号Ａ１００と端局Ｂからの外部出力信号Ｂ８０１−１を加算して、加算信号Ａ１０１−１を１系ＡＤ変換回路Ａ２−１へ出力する。この１系ＡＤ変換回路Ａ２−１は、アナログミキサＡ１−１からの加算信号Ａ１０１−１をデジタル変換して、送信デジタル信号Ａ２０１−１を１系送信回路Ａ４−１と２系送信回路Ａ４−２へ出力する。１系送信回路Ａ４−１は、１系ＡＤ変換回路Ａ２−１からの送信デジタル信号Ａ２０１−１と１系送信主信号Ａ３００−１を多重して、１系送信信号Ａ４０１−１をＡ方向の１系受信回路へ出力する。２系送信回路Ａ４−２は、ＡＤ変換回路Ａ２−１からの送信デジタル信号Ａ２０１−１と２系送信主信号Ａ３００−２とを多重した２系送信信号Ａ４０１−２をＡ方向の２系受信回路へ出力する。ここで、２系送信部を省いた非冗長構成の場合でも、オーダワイヤ回線を構成可能である。
【０００６】
一方、受信系において、１系受信回路Ａ５−１は、Ａ方向から（１系送信部から）の受信信号Ａ６００より１系受信主信号Ａ５０１−１を分離して、１系受信デジタル信号Ａ５０２−１を受信切替スイッチＡ６へ出力する。受信切替スイッチＡ６は、１系受信回路Ａ５−１からの１系受信デジタル信号Ａ５０２−１と２系ＤＡ変換回路Ａ５−２からの２系受信デジタル信号の一方を、受信切替制御回路Ａ７からの受信切替制御信号Ａ７０１に従い選択して、選択デジタル信号Ａ６０１を１系ＤＡ変換回路Ａ８−１へ出力する。１系ＤＡ変換回路Ａ８−１は、受信切替スイッチＡ６からの受信選択信号Ａ６０１をアナログ変換して、受信アナログ信号Ａ８０１−１を、外部への音声出力信号と、ケーブルＡＢ−１への外部出力信号とに分岐して出力する。
【０００７】
以上のような従来技術では、中継局を専用装置を用いずに、特許文献３（特開平２−１９８２６３号公報）のような端局装置をケーブル接続して簡易に構成する場合が多い。したがって、中継局は常に２台セットで設置される必要があるため、設備、設置面積が端局に比べ大きく、また、中継局構成のためのケーブル接続が煩雑となる問題があった。
【特許文献１】特開平２−３０６７２９号公報
【特許文献２】特開平１−２４３６５７号公報
【特許文献３】特開平２−１９８２６３号公報
【発明の開示】
【発明が解決しようとする課題】
【０００８】
本発明の課題は、装置自体の構成を変更することなく、単一の装置で、端局と中継局の双方の構成を兼用できるオーダワイヤ伝送装置を提供することにある。
【課題を解決するための手段】
【０００９】
請求項１に係る本発明は、ＡＤ変換回路を有する送信部、及びＤＡ変換回路を有する受信部のそれぞれが１系と２系に二重化され、１系から２系、２系から１系への系間のオーダワイヤ回線を構成するオーダワイヤ伝送装置において、
１系受信部Ａ１−Ｒにおける受信信号と２系受信部Ａ２−Ｒにおける受信信号とを選択する受信切替スイッチＡ６と、
音声入力信号と、２系受信部Ａ２−Ｒからの受信信号とを混合して、１系送信部Ａ１−Ｔへ入力する１系入力用ミキサＡ１−１と、
音声入力信号と、受信切替スイッチＡ６で選択された受信信号とを混合して、２系送信部Ａ２−Ｔへ入力する２系入力用ミキサＡ１−２と、
２系受信部Ａ２−Ｒにおける受信信号と、受信切替スイッチＡ６で選択された受信信号とを混合して、音声出力信号とする出力用ミキサＡ９とを備え、
２系受信部Ａ２−ＲにおけるＤＡ変換回路Ａ８−２は、外部からの中継制御信号Ａ２００に従い無音制御できるようにしたものである。
【００１０】
請求項２に係る発明は、上記のような構成に加えて、１系送信部Ａ１−ＴのＡＤ変換回路Ａ２−１からの送信信号と２系送信部Ａ２−ＴのＡＤ変換回路Ａ２−２からの送信信号とを切り替える中継切替スイッチＡ３を備え、
当該オーダワイヤ伝送装置を中継局として設定する場合は、受信切替スイッチＡ６が、１系受信部Ａ１−Ｒの１系受信信号を選択することで、出力用ミキサでＡ９は、１系受信信号と２系受信信号とを混合した音声出力信号Ａ９０１を出力するとともに、１系入力用ミキサＡ１−１で、２系受信部Ａ２−Ｒの受信信号と外部からの音声入力信号Ａ１００とを混合することにより、２系から１系へのオーダワイヤ回線を構成し、また、中継切替スイッチＡ３で、２系送信信号を選択することにより、１系から２系へのオーダワイヤ回線を構成し、
一方、当該オーダワイヤ伝送装置を端局として設定する場合は、２系受信部Ａ２−ＲのＤＡ変換回路Ａ８−２が受信信号を無音制御するとともに、中継切替スイッチＡ３が１系送信部Ａ１−Ｔの送信信号を選択するようにしたものである。
【００１１】
請求項３に係る発明は、請求項１の構成に加え、１系送信部Ａ１−Ｔと２系送信部Ａ２−Ｔの一方の系からの信号を送信する送信切替制御回路Ａ１２と、受信信号を１系受信部と２系受信部へ分岐するハイブリッドＡ１３とを備え、１系／２系で伝送路を共有できるようにしたものである。
【００１２】
請求項４に係る発明は、請求項１の構成に加え、１系送信部からの送信信号と２系送信部からの送信信号とを切り替えて出力する送信切替スイッチＡ１１と、これを制御する送信切替制御回路Ａ１２とを備え、判定した正常な一方の系か、もしくは外部から指定する系だけ送信信号を出力させるできるようにしたものである。
【００１３】
請求項５に係る発明は、請求項１の構成に加え、１系入力用ミキサＡ１−１及び２系入力用ミキサＡ１−２の前段に、１系・２系共通の入力用ミキサＡ１４を備えて、音声入出力信号に加え外部入出力信号の追加も可能とすることにより、他ルートのオーダワイヤ回線と簡易に接続できるようにしたものである。
【００１４】
１系入力用ミキサ及び２系入力用ミキサ並びに出力用ミキサは、アナログ段で信号を混合するアナログミキサ、又は、デジタル段で信号を混合するデジタルミキサのいずれでもよい。
【発明の効果】
【００１５】
本発明によれば以下に記載するような効果を奏する。
第１の効果は、オーダワイヤ回線の中継局を単一の装置で構成できることである。
その理由は、冗長構成の端局装置において、１系送信信号を外部からの音声入力信号と２系受信信号をミキサで加算して生成し、同じく２系送信信号を外部からの音声入力信号と１系受信信号をミキサで加算して生成し、また、音声出力信号を１系受信信号と２系受信信号をミキサで加算して生成することで、１系から２系と２系から１系への系間のオーダワイヤ回線を構築することにより、１系／２系の送受信回路を別の局と対向させて、単一の端局装置でありながら中継局を構成することができるためである。
第２の効果は、オーダワイヤ回線の端局／中継局の双方を同一の装置で構成できることである。
その理由は、１系から２系、２系から１系への系間のオーダワイヤ回線を具備した冗長構成の端局装置において、１系から２系へのオーダワイヤ回線は、中継切替スイッチにより接続／切断の切替が可能であり、また、２系から１系へのオーダワイヤ回線は２系ＤＡ変換回路の無音制御により接続／切断の切替が可能なためである。したがって、受信切替スイッチで１系／２系の一方の正常系を選択し２系ＤＡ変換回路による無音制御を有効、かつ、中継切替スイッチで１系送信信号を選択することで、当該局は端局装置として振る舞い、受信切替スイッチで１系受信信号を選択し２系ＤＡ変換回路による無音制御を無効、かつ、中継切替スイッチで２系送信信号を選択することで、中継局装置として振る舞うことが可能となるからである。
【発明を実施するための最良の形態】
【００１６】
本発明の最良形態のオーダワイヤ伝送装置について説明すると、図１に示すように、１系送信部Ａ１−Ｔ、２系送信部Ａ２−Ｔ、１系及び２系の２つの入力用アナログミキサＡ１−１、Ａ１−２、１系受信部Ａ１−Ｒ、２系受信部Ａ２−Ｒ、１つの出力用アナログミキサＡ９、及び受信切替制御回路Ａ７とで構成されている。
【００１７】
このオーダワイヤ伝送装置を中継局として設定した場合は、受信切替スイッチＡ６が、１系受信回路Ａ５−１からの１系受信デジタル信号Ａ５０２−１を選択することで、出力用アナログミキサＡ９では、１系受信アナログ信号Ａ８０１−１と２系受信アナログ信号Ａ８０１−２とを加算した音声出力信号Ａ９０１を出力する。また、１系入力用アナログミキサＡ１−１で、２系アナログ信号Ａ８０１−２と外部からの音声入力信号Ａ１００とを加算することにより、伝送路Ａ２３→受信回路Ａ５−２→ＤＡ変換回路Ａ８−２→１系入力用アナログミキサＡ１−１→ＡＤ変換回路Ａ２−１→送信回路Ａ４−１→伝送路Ａ２０のルート、すなわち、２系から１系へのオーダワイヤ回線を構成する。また、中継切替スイッチＡ３で、２系送信デジタル信号Ａ２０１−２を選択することにより、伝送路Ａ２２→受信回路Ａ５−１→受信切替スイッチＡ６→ＤＡ変換回路Ａ８−１→２系入力用アナログミキサＡ１−２→ＡＤ変換回路Ａ２−２→中継切替スイッチＡ３→送信回路Ａ４−２→伝送路Ａ２１のルート、すなわち、１系から２系へのオーダワイヤ回線を構成する。
【００１８】
一方、端局として設定した場合は、２系受信部のＤＡ変換回路Ａ８−２が受信デジタル信号Ａ５０２−２を無音制御することで、１系入力用アナログミキサＡ１−１において２系受信アナログ信号Ａ８０１−２の１系加算信号Ａ１０１−１への回り込みを防止し、中継切替スイッチＡ３が１系送信デジタル信号Ａ２０１−１を選択することで、２系入力用アナログミキサＡ１−２において１系受信アナログ信号Ａ８０１−１と加算された２系加算信号が、伝送路Ａ２１へ送信されることを防止することにより、送信部／受信部間のルートを切り離すことができる。また、中継切替スイッチＡ３が１系送信デジタル信号Ａ２０１−１を選択することで、送信系の冗長系を構成し、受信切替スイッチＡ６が、１系受信デジタル信号Ａ５０２−１と２系受信デジタル信号Ａ５０２−２とから一方を選択することで、受端冗長系の切替を行うことが出来る。
【００１９】
このように、送受ともに冗長構成を持つオーダワイヤ伝送装置において、音声入力信号を分岐して１系／２系の両方から同じ信号を送信し、受信信号は切替スイッチにより１系／２系の一方を選択して音声出力信号として出力することで端局として構成し、また、同一のオーダワイヤ伝送装置において、１系送信信号には２系受信信号を、２系送信信号に１系受信信号を加算して送信し、１系／２系の受信信号を加算して音声出力信号とすることで、１系／２系間でオーダワイヤ回線を構成する。このとき、１系／２系をそれぞれ別の局と対向させることで、端局と同一でかつ単一の装置で中継局を構成することが可能となる。
【実施例１】
【００２０】
図１は、本発明の実施例１のオーダワイヤ伝送装置を示すブロック図である。
このオーダワイヤ伝送装置は、１系送信部Ａ１−Ｔ、２系送信部Ａ２−Ｔ、１系及び２系の２つの入力用アナログミキサＡ１−１、Ａ１−２、１系受信部Ａ１−Ｒ、２系受信部Ａ２−Ｒ、１つの出力用アナログミキサＡ９、及び受信切替制御回路Ａ７とで構成されている。
【００２１】
まず、送信系の構成について説明する。
１系入力用アナログミキサＡ１−１で、外部からの音声入力信号Ａ１００と、２系受信部Ａ２−Ｒ内のＤＡ変換回路Ａ８−２からの２系受信アナログ信号Ａ８０１−２とを加算し、１系加算信号Ａ１０１−１を１系送信部Ａ１−Ｔ内のＡＤ変換回路Ａ２−１へ出力する。このＡＤ変換回路Ａ２−１は、１系入力用アナログミキサＡ１−１からの１系加算信号Ａ１０１−１をデジタル変換して、１系送信デジタル信号Ａ２０１−１を、１系送信部Ａ１−Ｔ内の送信回路Ａ４−１と、後述する２系送信部Ａ２−Ｔ内の中継切替スイッチＡ３へ出力する。１系送信部Ａ１−Ｔ内の送信回路Ａ４−１は、外部からの１系送信主信号Ａ３００−１と、１系送信部Ａ１−Ｔ内のＡＤ変換回路Ａ２−１からの１系デジタル信号Ａ２０１−１とを多重して、１系送信信号Ａ４０１−１を伝送路Ａ２０へ出力する。
【００２２】
一方、２系入力用アナログミキサＡ１−２は、外部からの音声入力信号Ａ１００と、１系受信部Ａ１−Ｒ内のＤＡ変換回路Ａ８−１からの１系受信アナログ信号Ａ８０１−１とを加算して、２系加算信号Ａ１０１−２を２系送信部Ａ２−Ｔ内のＡＤ変換回路Ａ２−２へ出力する。このＡＤ変換回路Ａ２−２は、２系入力用アナログミキサＡ１−２からの２系加算信号Ａ１０１−２をデジタル変換して、２系送信デジタル信号Ａ２０１−２を２系送信部Ａ２−Ｔ内の中継切替スイッチＡ３へ出力する。この中継切替スイッチＡ３は、外部からの中継制御信号Ａ２００に従い、端局設定の場合は、前述した１系ＡＤ変換回路Ａ２−１からの１系送信デジタル信号Ａ２０１−１を選択、中継局設定の場合は、２系ＡＤ変換回路からの２系送信デジタル信号Ａ２０１−２を選択して、２系送信選択信号Ａ３０１を２系送信回路Ａ４−２へ出力する。この送信回路Ａ４−２は、外部からの２系送信主信号Ａ３００−２と、２系送信部Ａ２−Ｔ内の中継切替スイッチＡ３からの２系送信選択信号Ａ３０１とを多重して、２系送信信号Ａ４０１−２を伝送路Ａ２１へ出力する。
【００２３】
次に、受信系の構成について説明する。
１系受信部Ａ１−Ｒ内の受信回路Ａ５−１は、伝送路Ａ２２からの受信信号Ａ２２０１に対して１系受信主信号Ａ５０１−１を分離して外部に出力する。また、受信信号Ａ２２０１から１系受信デジタル信号Ａ５０２−１を分離して１系受信部Ａ１−Ｒ内の受信切替スイッチＡ６に出力する。さらに、この受信回路Ａ５−１は、伝送路Ａ２２の回線品質を監視し、１系受信アラームＡ５０３−１を受信切替制御回路Ａ７に出力する。１系受信部Ａ１−Ｒ内の受信切替スイッチＡ６は、後述する受信切替制御回路Ａ７からの受信切替制御信号Ａ７０１に従い、１系受信部Ａ１−Ｒ内の受信回路Ａ５−１からの１系受信デジタル信号Ａ５０２−１と、２系受信部Ａ２−Ｒ内の受信回路Ａ５−２からの２系受信デジタル信号Ａ５０２−２のうち一方を選択して、１系受信選択信号Ａ６０１を１系受信部Ａ１−Ｒ内のＤＡ変換回路Ａ８−１へ出力する。このＤＡ変換回路Ａ８−１は、１系受信部Ａ１−Ｒ内の受信切替スイッチＡ６からの１系受信選択信号Ａ６０１をアナログ変換して、１系受信アナログ信号Ａ８０１−１を、出力用アナログミキサＡ９と、前述した２系入力用アナログミキサＡ１−２へ出力する。
【００２４】
出力用アナログミキサＡ９は、１系受信部Ａ１−Ｒ内のＤＡ変換回路Ａ８−１からの１系受信アナログ信号Ａ８０１−１と、後述する２系受信部Ａ２−Ｒ内のＤＡ変換回路Ａ８−２からの２系アナログ信号Ａ８０１−２とを加算して、音声出力信号Ａ９０１を外部へ出力する。
【００２５】
一方、２系受信回路Ａ５−２は、伝送路Ａ２３からの２系受信信号Ａ２３０１に対して２系受信主信号Ａ５０１−２を分離して外部に出力する。また、２系受信信号Ａ２３０１から２系受信デジタル信号Ａ５０２−２を分離して、１系受信部Ａ１−Ｒ内の受信切替スイッチＡ６と、２系受信部Ａ２−Ｒ内のＤＡ変換回路Ａ８−２へ出力する。さらに、この２系受信回路Ａ５−２は、伝送路Ａ２３の回線品質を監視し、２系受信アラーム信号Ａ５０３−２を受信切替制御回路Ａ７へ出力する。２系受信部Ａ２−Ｒ内のＤＡ変換回路Ａ８−２は、外部からの中継制御信号Ａ２００に従い、端局設定の場合は、２系受信部Ａ２−Ｒ内の受信回路Ａ５−２からの２系受信信号Ａ５０２−２を無音制御し、中継局設定の場合は、２系受信部Ａ２−Ｒ内の受信回路Ａ５−２からの２系受信信号Ａ５０２−２をアナログ変換して、２系受信アナログ信号Ａ８０１−２を、前述した出力用アナログミキサＡ９と、前述した１系入力用アナログミキサＡ１−１に出力する。
【００２６】
受信切替制御回路Ａ７は、外部からの手動受信切替制御信号Ａ５００と、１系受信回路Ａ５−１からの１系受信アラーム信号Ａ５０３−１と、２系受信部Ａ２−Ｒ内の受信回路Ａ５−２からの２系受信アラーム信号Ａ５０３−２とから選択系を判定し、受信切替制御信号Ａ７０１を１系受信部Ａ１−Ｒ内の受信切替スイッチＡ６へ出力する。
【００２７】
次に、図１、図２に示すブロック図を用いて中継局設定時の動作を説明する。
図２の中継局Ａ、Ｂ、Ｃは図１で示す伝送装置とし、伝送路Ａ２１と伝送路Ｂ２２、伝送路Ｂ２０と伝送路Ａ２３、伝送路Ｂ２１と伝送路Ｃ２２、伝送路Ｃ２０と伝送路Ｂ２３をそれぞれ接続することで、中継局ＡからＢ、ＢからＣ、また、ＣからＢ、ＢからＡの中継回線を構成する。
【００２８】
最初に、中継局ＡからＢ、ＢからＣへの信号伝送について説明する。
図２の中継局Ａは、伝送路Ａ２２を介して入力される受信信号Ａ２２０１から、１系受信部Ａ１−Ｒ内で１系受信デジタル信号Ａ５０２−１を分離し、受信切替スイッチＡ６とＤＡ変換回路Ａ８−１経由で１系受信アナログ信号Ａ８０１−１を２系入力用アナログミキサＡ１−２と後述する出力用アナログミキサＡ９へ出力する。一方、２系入力用アナログミキサＡ１−２においては、外部からの音声入力信号Ａ１００と、１系受信部Ａ１−Ｒからの１系受信アナログ信号Ａ８０１−１を加算し、２系送信部Ａ２−Ｔ内のＡＤ変換回路Ａ２−２、送信回路Ａ４−２で生成した２系送信信号Ａ４０１−２を伝送路Ａ２１を経由して伝送路Ｂ２２に出力する。
【００２９】
中継局Ｂ、Ｃにおいては、伝送路Ｂ２２、Ｃ２２からの１系受信信号Ｂ２２０１、Ｃ２２０１に対して中継局Ａと同様の処理を行い、外部からの音声入力信号と１系受信アナログ信号とを加算した２系送信信号が、伝送路Ｂ２１、Ｃ２１を経由して対向局へ出力される。
【００３０】
中継局Ａ、Ｂ、ＣのアナログミキサＡ９、Ｂ９、Ｃ９においては、１系受信アナログ信号を加算して音声出力信号を出力するため、中継局Ａは伝送路Ａ２０の音声信号が、中継局Ｂでは伝送路Ａ２０と中継局Ａの音声信号が、中継局Ｃでは伝送路Ａ２０と中継局Ａと中継局Ｃの音声信号が出力される。
【００３１】
次に、中継局ＣからＢ、ＢからＡへの信号伝送について説明する。
中継局Ｃは、伝送路Ｃ２３を介して入力される２系受信信号Ｃ２３０１から、２系受信部Ａ２−Ｒ内の受信回路Ｃ５−２で２系受信主信号Ｃ５０１−２を分離し、ＤＡ変換回路Ｃ８−２で２系受信アナログ信号Ｃ８０１−２を生成して、１系入力用アナログミキサＣ１−１と後述する出力用アナログミキサＣ９へ出力する。１系入力用アナログミキサＣ１−１において、外部からの音声入力信号Ｃ１００と２系受信部Ｃ２−Ｒからの２系受信信号Ｃ８０１−２を加算し、１系受信部Ｃ１−Ｒ内のＡＤ変換回路Ｃ２−１、送信回路Ａ４−１で生成した１系送信信号Ｃ４０１−１を、伝送路Ｃ２０を経由して伝送路Ｂ２３へ出力する。
【００３２】
中継局Ａ、Ｂにおいては、伝送路Ａ２３、Ｂ２３からの２系受信信号Ａ２３０１、Ｂ２３０１に対して中継局Ｃと同様の処理を行い、外部からの音声入力信号と２系受信アナログ信号を加算した１系送信信号が、伝送路Ａ２０、Ｂ２０を介して対向局へ出力される。
【００３３】
中継局Ａ、Ｂ、Ｃの出力用アナログミキサＡ９、Ｂ９、Ｃ９において２系受信アナログ信号を加算して、音声出力信号を出力するため、中継局Ｃでは伝送路Ｃ２３の音声信号が、中継局Ｂでは伝送路Ｃ２３と中継局Ｃの音声信号が、中継局Ａでは伝送路Ｃ２３と中継局Ｃと中継局Ｂの音声信号が出力される。
【００３４】
以上により、中継局Ａの音声出力信号Ａ９０１には、伝送路Ａ２０の音声信号と中継局Ｂの音声入力信号Ｂ１００と中継局Ｃの音声入力信号Ｃ１００と伝送路Ｃ２３の音声信号が出力され、中継局Ｂの音声出力信号Ｂ９０１には、伝送路Ａ２０と中継局Ａの音声入力信号Ａ１００と中継局Ｃの音声入力信号Ｃ１００と伝送路Ｃ２３の音声信号が出力され、中継局Ｃの音声出力信号Ｃ９０１には、伝送路Ａ２０の音声信号と中継局Ａの音声入力信号Ａ１００と中継局Ｂの音声入力信号Ｂ  １００と伝送路Ｃ２３の音声信号が出力されることで、中継局Ａ、Ｂ、Ｃ間でのオーダワイヤ中継回線を構成している。
【実施例２】
【００３５】
次に、図１のオーダワイヤ伝送装置の装置構成を実質的に変更せずに、局間の接続のみを変更した図３の実施例２について、端局設定時の動作を説明する。
【００３６】
図３の端局Ａは、外部からの音声入力信号Ａ１００を１系入力用アナログミキサＡ１−１において、２系受信部からの２系受信アナログ信号Ａ８０１−２と加算し、１系送信部内のＡＤ変換回路Ａ２−１、送信回路Ａ４−１で生成した１系送信信号Ａ４０１−１を、伝送路Ａ２０を介して伝送路Ｂ２２へ出力する。このとき、２系受信部内のＤＡ変換回路Ａ８−２において無音制御し、更に、２系受信部内の中継制御スイッチＡ３において１系送信回路部内のＡＤ変換回路Ａ２−１からの１系送信デジタル信号Ａ２０１−１を選択して、送信回路Ａ４−２で生成した２系送信信号Ａ４０１−２を、伝送路Ａ２１を経由して伝送路Ｂ２３へ出力する。
【００３７】
一方、端局Ｂは、伝送路Ｂ２２から入力される１系受信信号Ｂ２２０１から、１系受信部内の受信回路Ｂ５−１で１系受信デジタル信号Ｂ５０２−１に分離し、受信切替スイッチＢ６に出力する。受信切替スイッチＢ６は、１系受信受信デジタル信号Ｂ５０２−１と２系受信デジタル信号Ｂ５０２−２から一方を選択し、ＤＡ変換回路Ｂ８−１でアナログ変換した後、出力用アナログミキサＢ９と前述した１系入力用アナログミキサＢ１−２へ出力する。出力用アナログミキサＢ９は、１系受信アナログ信号Ｂ８０１−１と２系受信アナログ信号Ｂ８０１−２を加算して、音声出力信号Ｂ９０１を出力する。
【００３８】
また、端局Ｂは、伝送路Ｂ２３から入力される２系受信信号Ｂ２３０１から、２系受信部内の受信回路Ｂ５−２において、受信デジタル信号Ｂ５０２−２を分離し、前述した１系受信部内の受信切替スイッチＡ６と２系受信部内のＤＡ変換回路Ｂ８−２へ出力し、ＤＡ変換回路Ｂ８−２は外部からの中継制御信号Ａ２００に従い無音制御することより、出力用アナログミキサＢ９で、１系／２系から選択後の１系受信アナログ信号Ｂ８０１−１に不要な２系受信アナログ信号Ｂ８０１−２を加算することを防止する。この時、受信切替スイッチＢ６は、受信切替制御回路Ｂ７からの受信切替制御信号Ｂ７０１に従い１系、２系のどちらか一方を選択し、１系受信アラーム信号Ｂ５０３−１、２系受信アラーム信号Ｂ５０３−２から判定した正常な伝送路か、もしくは外部からの手動受信切替制御信号Ｂ５００で指定する系を選択する。
【００３９】
以上により、端局装置設定時には、２系受信アナログ信号に対して無音制御し、中継切替スイッチで１系送信デジタル信号を選択することで、外部からの音声入力信号への不要な受信信号の回り込みを防止し、かつ１系／２系の送信回路へ１系デジタル信号を分岐して出力することで送信系の冗長系を実現しつつ、受信系は、受信切替スイッチＡ６において、１系受信デジタル信号と２系デジタル信号の一方を選択することで受信系の冗長切替を実現する。
【実施例３】
【００４０】
図３の実施例２では、送端と受端をそれぞれ２系統ずつ設け、送端と受端を１対１に接続して回線を二重化することで送受の冗長を構成しているが、図４に示す実施例３のように、送信切替制御回路Ａ１２を備え、これからの送信停止信号Ａ１２０１、Ａ１２０２に従い、一方の系だけ信号を送信し、受信系では、受信信号をハイブリッドＡ１３で１系受信部Ａ１−Ｒと２系受信部Ａ２−Ｒへ分岐することで、１系／２系で伝送路を共有し、送受信機器のみ冗長構成とする場合でも、ハイブリッドＡ１３の後段は、端局／中継局ともに同一の装置で構成可能となる。このとき、送信回路Ａ４−１、Ａ４−２は、送信切替制御回路Ａ１２からの送信停止信号Ａ１２０１、Ａ１２０２に従い１系、２系のどちらか一方が送信を停止することで、系の切替を行い、１系送信アラーム信号Ａ４０２−１、２系送信アラーム信号Ａ４０２−２から判定した正常な系か、もしくは外部からの手動送信切替制御信号Ａ７００で指定する系だけ送信信号を出力させる。
【実施例４】
【００４１】
また、図５に示す実施例４のように、送信切替制御回路Ａ１２からの送信切替制御信号Ａ１２０３により切り替えられる送信切替スイッチＡ１１を備えてもよい。この送信切替スイッチＡ１１は、１系送信信号Ａ４０１−１と２系送信信号Ａ４０１−２とを、１系送信信号Ａ４０１−１と２系送信信号Ａ４０１−２のどちらか一方を送信切替制御信号Ａ１２０３に従い選択する。その選択は、１系送信アラーム信号Ａ４０２−１、２系送信アラーム信号Ａ４０２−２から判定した正常な系か、もしくは外部からの手動送信切替制御信号Ａ７００によって行われる。このようにすることで、１系送信アラーム信号Ａ４０２−１、２系送信アラーム信号Ａ４０２−２から判定した正常な系か、もしくは外部からの手動送信切替制御信号Ａ７００で指定する系だけ送信信号を出力させることができる。
【実施例５】
【００４２】
また、図１の実施例１では、送信系では受信信号と音声入力信号の加算を行っているが、図６に示す実施例５のように、１系入力用アナログミキサＡ１−１及び２系入力用アナログミキサＡ１−２の前段に、１系・２共通の入力用アナログミキサＡ１４を追加することで、音声入出力信号に加え外部入出力信号の追加も可能となり、外部入力信号Ａ１００−１、外部出力信号Ａ９０２を他の装置とケーブル接続することで、他ルートのオーダワイヤ回線と簡易に接続することが可能となる。
【実施例６】
【００４３】
さらに、図１の実施例１では、受信信号と音声入力信号、１系／２系の受信信号の加算をアナログ段で行っているが、図７に示す実施例６のように、デジタルミキサＡ１５、Ａ１６、Ａ１７を用いてＡＤ変換後、もしくはＤＡ変換前のデジタル段でも行うことが可能ある。この場合、デジタルミキサＡ１７には、図１の２系ＤＡ変換回路Ａ８−２で行う無音制御の機能も実装する。なお、デジタル段での加算を行う場合は、デジタルミキサＡ１５、Ａ１６、Ａ１７が、ＬＳＩ／ＦＰＧＡなどの集積回路内にまとめて実装でき、通常、個別部品で実装されるアナログミキサが不要となる分、実回路の構成をより簡易にすることが可能となる。
【図面の簡単な説明】
【００４４】
【図１】本発明の実施例１のオーダワイヤ伝送装置を示すブロック図である。
【図２】実施例１のオーダワイヤ伝送装置を中継局として設定した場合の相互関係を示すブロック図である。
【図３】図１のオーダワイヤ伝送装置の装置構成を実質的に変更せずに、局間の接続のみを変更して端局とした実施例２を示すブロックである。
【図４】本発明の実施例３のオーダワイヤ伝送装置を示すブロック図である。
【図５】本発明の実施例４のオーダワイヤ伝送装置を示すブロック図である。
【図６】本発明の実施例５のオーダワイヤ伝送装置を示すブロック図である。
【図７】本発明の実施例６のオーダワイヤ伝送装置を示すブロック図である。
【図８】従来例のブロック図である。
【符号の説明】
【００４５】
Ａ１−Ｔ  １系送信部
Ａ２−Ｔ  ２系送信部
Ａ１−１  １系入力用アナログミキサ
Ａ１−２  ２系入力用アナログミキサ
Ａ１−Ｒ  １系受信部
Ａ２−Ｒ  ２系受信部
Ａ９  出力用アナログミキサ
Ａ７  受信切替制御回路
Ａ２−１、Ａ２−２  ＡＤ変換回路
Ａ８−１、Ａ８−２  ＤＡ変換回路
Ａ４−１、Ａ４−２  送信回路
Ａ５−１、Ａ５−２  受信回路
Ａ３  中継切替スイッチ
Ａ１２  送信切替制御回路
Ａ１３  ハイブリッド
Ａ１１  送信切替スイッチ
Ａ１５、Ａ１６、Ａ１７  デジタルミキサ
【図１】
0004839953.tif 000002
【図２】
0004839953.tif 000003
【図３】
0004839953.tif 000004
【図４】
0004839953.tif 000005
【図５】
0004839953.tif 000006
【図６】
0004839953.tif 000007
【図７】
0004839953.tif 000008
【図８】
0004839953.tif 000009